【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
画像形成装置と、前記画像形成装置の動作を切り替える動作設定情報を管理する管理装置とを備える情報処理システムであって、
前記管理装置は、
前記画像形成装置に適用する動作設定情報を生成する生成手段と、
前記生成された動作設定情報をネットワークを介して前記画像形成装置に対して送信する送信手段とを備え、
前記動作設定情報には、設定項目毎に、画像形成装置のリプレイスに伴う機器の構成情報の変更内容に対応する、該設定項目に対応する設定を前記リプレイス後の画像形成装置の動作設定情報に引き継ぐか否かに関する引継条件と、ユーザが前記設定を初期値から変更したかを示す変更情報が対応付けられており、
画像形成装置がリプレイスされる場合に、
前記生成手段は、
前記リプレイス前の画像形成装置に対応する動作設定情報を記憶手段に第１の動作設定情報として記憶するとともに、前記リプレイス後の画像形成装置に対応する動作設定情報を第２の動作設定情報として生成し、
前記画像形成装置のリプレイスに伴う該画像形成装置の機器の構成情報の変更内容を特定し、
前記特定した前記機器の構成情報の変更内容と、前記第１の動作設定情報に対応付けられている前記引継条件に基づいて、該第２の動作設定情報の設定項目毎に、前記第１の動作設定情報の設定を該第２の動作設定情報の設定に引き継ぐか否かを判断し、
前記第１の動作設定情報の設定を前記第２の動作設定情報の設定に引き継がないと判断した設定項目については、前記第１の動作設定情報に対応付けられている前記変更情報の内容に基づいて、該設定項目を再設定が必要な設定項目とするかを判断し、
前記送信手段は、前記生成された前記リプレイス後の画像形成装置に適用する動作設定情報と前記生成手段が前記再設定が必要な設定項目とすると判断した設定項目とを前記ネットワークを介して前記リプレイス後の画像形成装置に対して送信し、
前記画像形成装置は、
前記管理装置が備える送信手段から前記画像形成装置に適用する動作設定情報と前記再設定が必要な設定項目とを取得する設定情報取得手段と、
前記取得された再設定が必要な設定項目の再設定を促す画面を表示する表示手段とを備える
ことを特徴とする情報処理システム。
【請求項２】
前記管理装置は、さらに、
前記画像形成装置から該画像形成装置が備える機器の構成情報をネットワークを介して取得して記憶手段に記憶する構成情報取得手段を備え、
前記生成手段は、
前記取得された前記画像形成装置が備える機器の構成情報に基づいて、該画像形成装置に適用する動作設定情報を生成し、
画像形成装置がリプレイスされた場合に、前記記憶手段に記憶されているリプレイス前の画像形成装置が備える機器の構成情報と、前記構成情報取得手段が取得したリプレイス後の画像形成装置が備える機器の構成情報とを比較して、画像形成装置のリプレイスに伴う機器の構成情報の変更内容を特定する
ことを特徴とする請求項１に記載の情報処理システム。
【請求項３】
前記生成手段は、
前記変更情報の内容に基づいて、ユーザが設定を初期値から変更したかを判断し、ユーザが設定を初期値から変更したと判断した設定項目を再設定が必要な設定項目とすると判断する
ことを特徴とする請求項１または請求項２に記載の情報処理システム。
【請求項４】
前記引継条件は、前記機器の構成情報の変更内容にかかわらず再設定が必要な設定項目とすることを指示する第１の指示情報、前記機器の構成情報の変更内容にかかわらず前記第１の動作設定情報の設定を前記第２の動作設定情報の設定に引き継ぐことを指示する第２の指示情報、または特定の構成情報が変更した場合に再設定が必要な設定項目とすることを指示する第３の指示情報を含む
ことを特徴とする請求項１乃至３のいずれか１項に記載の情報処理システム。
【請求項５】
画像形成装置が備える機器の構成情報を収集する収集手段と、
前記画像形成装置の動作を切り替える動作設定情報を保持する保持手段と、
前記保持手段が保持する動作設定情報を更新する更新手段とを備え、
前記動作設定情報には、設定項目毎に、画像形成装置のリプレイスに伴う機器の構成情報の変更内容に対応する、該設定項目に対応する設定を前記リプレイス後の画像形成装置の動作設定情報に引き継ぐか否かに関する引継条件と、ユーザが前記設定を初期値から変更したかを示す変更情報が対応付けられており、
前記画像形成装置がリプレイスされる場合に、前記収集手段が収集した該画像形成装置のリプレイス前の前記機器の構成情報と、前記保持手段が保持する該画像形成装置のリプレイス前の動作設定情報とを含む出力情報を外部装置に出力する出力手段と、
前記画像形成装置のリプレイス後に、前記外部装置から前記出力情報を該リプレイス後の画像形成装置に入力する入力手段と、
再設定が必要な設定項目に対する再設定を促す画面を表示する表示手段とを備え、
前記更新手段は、
前記画像形成装置のリプレイス後に、前記入力された出力情報が含む動作設定情報を第１の動作設定情報として取得するとともに、前記保持手段が保持する動作設定情報を第２の動作設定情報として取得し、
前記収集手段が収集したリプレイス前の画像形成装置が備える機器の構成情報と、前記収集手段が収集したリプレイス後の画像形成装置が備える機器の構成情報とを比較して、画像形成装置のリプレイスに伴う機器の構成情報の変更内容を特定し、
前記特定した前記機器の構成情報の変更内容と、前記第１の動作設定情報に対応付けられている前記引継条件に基づいて、前記第２の動作設定情報の設定項目毎に、前記第１の動作設定情報の設定を該第２の動作設定情報の設定に引き継ぐか否かを判断し、
前記第１の動作設定情報の設定を該第２の動作設定情報の設定に引き継がないと判断した設定項目については、前記第１の動作設定情報に対応付けられている前記変更情報の内容に基づいて、該設定項目を再設定が必要な設定項目とするかを判断し、
前記表示手段に指示して、前記再設定が必要な設定項目とすると判断した設定項目に対する再設定を促す画面を表示させる
ことを特徴とする画像形成装置。
【請求項６】
画像形成装置と、前記画像形成装置の動作を切り替える動作設定情報を管理する管理装置とを備える情報処理システムにおける管理方法であって、
前記管理装置が、前記画像形成装置に適用する動作設定情報を生成する生成工程と、
前記管理装置が、前記生成された動作設定情報をネットワークを介して前記画像形成装置に対して送信する送信工程とを有し、
前記動作設定情報には、設定項目毎に、画像形成装置のリプレイスに伴う機器の構成情報の変更内容に対応する、該設定項目に対応する設定を前記リプレイス後の画像形成装置の動作設定情報に引き継ぐか否かに関する引継条件と、ユーザが前記設定を初期値から変更したかを示す変更情報が対応付けられており、
画像形成装置がリプレイスされた場合に、
前記生成工程では、前記管理装置が、前記リプレイス前の画像形成装置に対応する動作設定情報を記憶手段に第１の動作設定情報として記憶するとともに、前記リプレイス後の画像形成装置に対応する動作設定情報を第２の動作設定情報として生成し、
前記管理装置が、前記画像形成装置のリプレイスに伴う該画像形成装置の機器の構成情報の変更内容を特定し、
前記管理装置が、前記特定した前記機器の構成情報の変更内容と、前記第１の動作設定情報に対応付けられている前記引継条件に基づいて、該第２の動作設定情報の設定項目毎に、前記第１の動作設定情報の設定を該第２の動作設定情報の設定に引き継ぐか否かを判断し、
前記管理装置が、前記第１の動作設定情報の設定を前記第２の動作設定情報の設定に引き継がないと判断した設定項目については、前記第１の動作設定情報に対応付けられている前記変更情報の内容に基づいて、該設定項目を再設定が必要な設定項目とするかを判断し、
前記送信工程では、前記生成された前記リプレイス後の画像形成装置に適用する動作設定情報と前記生成手段が前記再設定が必要な設定項目とすると判断した設定項目とを前記ネットワークを介して前記リプレイス後の画像形成装置に対して送信し、
前記画像形成装置が、前記管理装置が備える送信手段から前記画像形成装置に適用する動作設定情報と前記再設定が必要な設定項目とを取得する工程と、
前記画像形成装置が、前記取得された再設定が必要な設定項目の再設定を促す画面を表示する工程とを有する
ことを特徴とする管理方法。
【請求項７】
請求項６に記載の管理方法をコンピュータに実行させることを特徴とするコンピュータプログラム。
【請求項８】
画像形成装置の動作設定情報を管理する管理装置であって、
前記画像形成装置から該画像形成装置が備える機器の構成情報を取得して記憶手段に記憶する構成情報取得手段と、
前記画像形成装置に適用する動作設定情報を生成する生成手段と、
前記生成された動作設定情報を前記画像形成装置に対して送信する送信手段とを備え、
前記生成手段は、
前記画像形成装置がリプレイスされた場合に、前記記憶手段に記憶されているリプレイス前の画像形成装置が備える機器の構成情報と、前記構成情報取得手段が取得したリプレイス後の画像形成装置が備える機器の構成情報とを比較して、前記画像形成装置のリプレイスに伴う機器の構成情報の変更内容を特定し、
前記変更内容に基づいて、前記リプレイス前の画像形成装置に対応する動作設定情報である第１の動作設定情報の設定を、リプレイス後の画像形成装置に対応する動作設定情報である第２の動作設定情報の設定に引き継ぐか否かを判断し、
前記送信手段は、前記生成手段が前記第１の動作設定情報の設定を前記第２の動作設定情報の設定に引き継ぐと判断した場合、前記生成された前記リプレイス後の画像形成装置に適用する動作設定情報を前記リプレイス後の画像形成装置に対して送信する
ことを特徴とする管理装置。
【請求項９】
前記動作設定情報には、設定項目毎に、前記画像形成装置のリプレイスに伴う機器の構成情報の変更内容に対応する、該設定項目に対応する設定を前記リプレイス後の画像形成装置の動作設定情報に引き継ぐか否かに関する引継条件と、ユーザが前記設定を初期値から変更したかを示す変更情報が対応付けられており、
前記生成手段は、前記機器の構成情報の変更内容と、前記第１の動作設定情報に対応付けられている前記引継条件に基づいて前記第２の動作設定情報の設定項目毎に前記第１の動作設定情報の設定を前記第２の動作設定情報の設定に引き継ぐか否かを判断する
ことを特徴とする請求項８に記載の管理装置。
【請求項１０】
前記生成手段は、前記第１の動作設定情報の設定を前記第２の動作設定情報の設定に引き継がないと判断した場合に、前記第１の動作設定情報に対応付けられている前記変更内容に基づいて、前記設定項目の再設定が必要か否かを判断し
前記送信手段は、前記設定項目の再設定が必要であると判断した場合に、再設定が必要であることを示す情報を前記リプレイス後の画像形成装置に対して送信する
ことを特徴とする請求項８に記載の管理装置。
【請求項１１】
画像形成装置の動作設定情報を管理する管理方法であって、
前記画像形成装置から該画像形成装置が備える機器の構成情報を取得して記憶手段に記憶する構成情報取得工程と、
前記画像形成装置に適用する動作設定情報を生成する生成工程と、
前記生成された動作設定情報を前記画像形成装置に対して送信する送信工程とを備え、
前記画像形成装置がリプレイスされた場合に、
前記生成工程において、
前記画像形成装置がリプレイスされた場合に、前記記憶手段に記憶されているリプレイス前の画像形成装置が備える機器の構成情報と、前記構成情報取得工程において取得されたリプレイス後の画像形成装置が備える機器の構成情報とを比較して、前記画像形成装置のリプレイスに伴う機器の構成情報の変更内容を特定し、
前記変更内容に基づいて、前記リプレイス前の画像形成装置に対応する動作設定情報である第１の動作設定情報の設定を、リプレイス後の画像形成装置に対応する動作設定情報である第２の動作設定情報の設定に引き継ぐかを判断し、
前記送信工程において、前記生成工程で前記第１の動作設定情報の設定を前記第２の動作設定情報の設定に引前記引き継ぐと判断した場合、前記生成された前記リプレイス後の画像形成装置に適用する動作設定情報を前記リプレイス後の画像形成装置に対して送信する
ことを特徴とする管理方法。
【請求項１２】
前記動作設定情報には、設定項目毎に、前記画像形成装置のリプレイスに伴う機器の構成情報の変更内容に対応する、該設定項目に対応する設定を前記リプレイス後の画像形成装置の動作設定情報に引き継ぐか否かに関する引継条件と、ユーザが前記設定を初期値から変更したかを示す変更情報が対応付けられており、
前記生成工程において、前記機器の構成情報の変更内容と、前記第１の動作設定情報に対応付けられている前記引継条件に基づいて前記第２の動作設定情報の設定項目毎に前記第１の動作設定情報の設定を前記第２の動作設定情報の設定に引き継ぐか否かを判断する
ことを特徴とする請求項１１に記載の管理方法。
【請求項１３】
前記生成工程において、前記第１の動作設定情報の設定を前記第２の動作設定情報の設定に引き継がないと判断した場合に、前記第１の動作設定情報に対応付けられている前記変更内容に基づいて、前記設定項目の再設定が必要か否かを判断し、
前記送信工程において、前記設定項目の再設定が必要であると判断した場合に、再設定が必要であることを示す情報を前記リプレイス後の画像形成装置に対して送信する
ことを特徴とする請求項１１に記載の管理方法。
【手続補正２】
【補正対象書類名】明細書
【補正対象項目名】発明の名称
【補正方法】変更
【補正の内容】
【発明の名称】情報処理システム、画像形成装置、管理装置、管理方法およびコンピュータプログラム